(57)【特許請求の範囲】
【請求項１】
少なくとも一つのキャビティ（４）を備え、一端部（９）が少なくとも一つの面（８）に開口している本体（５）と、
前記本体（５）に取り付けられ、前記開口している一端部（９）のレベルで可動装着されたプッシュロッド（１１）、前記キャビティ（４）に取り付けられたプランジャー（３）、及び前記プッシュロッド（１１）と前記プランジャー（３）との間に介在する制御バネ（１２）を備え、前記プランジャー（３）が、並進時に減圧機能を実行するため揺動できるように装着され、そしてその平衡ポイントが前記プッシュロッド（１１）の押し込み及び下流装置へ伝わる出力制御圧力によって生じる前記制御バネ（１２）の圧縮に依存している少なくとも一つの減圧弁（２）と、
前記減圧弁（２）を制御するため、前記本体（５）の前記面（８）に対向するように回動可能に取り付けられ、しかも少なくとも一つのフィンガー（１０）を備えている前記プッシュロッド（１１）の押し込みを変える制御部材（６）と、
磁界を前記プランジャー（３）の並進方向と平行な方向に発生できるソレノイド（１５）を形成し、前記プッシュロッド（１１）と同軸に前記本体（５）に取り付けされ、しかも前記本体（５）の前記面（８）と同一平面上に当接表面（１７）を形成している手段と、
磁界に感応する材料で作られ、前記プッシュロッド（１１）と同時に並進移動でき、前記ソレノイド（１５）を形成する前記手段の前記当接表面（１７）と対向するように配置された接触表面（１８）を備え、前記接触表面（１８）が前記当接表面（１７）に当接して、予定の引力により前記プッシュロッド（１１）を適所でロックするようにした電機子（１６）と
を有する
水圧マニピュレーターにおいて、
前記電機子（１６）をフィンガー（１０）に固定する固定手段（２０）を有し、前記固定手段（２０）が窓（２１）を画定し、前記窓（２１）中に前記フィンガー（１０）が横方向に突出し、前記プッシュロッド（１１）が、間隙を保って前記電機子（１６）の中に貫入ししかも前記窓（２１）の中に突出するように装着され、さらに前記フィンガー（１０）が前記固定手段（２０）と前記プッシュロッド（１１）との間に介在していることを特徴とする水圧マニピュレーター。
【請求項２】
前記固定手段（２０）と前記電機子（１６）が、接合して前記窓（２１）を画定することを特徴とする請求項１に記載の水圧マニピュレーター。
【請求項３】
前記固定手段（２０）が、前記窓（２１）の上部壁（２６）と側壁（２７、２８）を画定するあぶみ部材（２５）を備え、前記窓（２１）の下部壁（２９）が前記電機子（１６）によって画定されることを特徴とする請求項２に記載の水圧マニピュレーター。
【請求項４】
前記フィンガー（１０）が、前記窓（２１）の前記上部壁（２６）と一点で接触することを特徴とする請求項３に記載の水圧マニピュレーター。
【請求項５】
前記フィンガー（１０）が球状先端部（３０）を備え、前記球状先端部（３０）に前記窓（２１）の前記上部壁（２６）が当接することを特徴とする請求項４に記載の水圧マニピュレーター。
【請求項６】
前記電機子（１６）が鉄材から作られたワッシャから成ることを特徴とする請求項１〜５のいずれか一項に記載の水圧マニピュレーター。
【請求項７】
前記あぶみ部材（２５）が、前記ワッシャ上にモールドされることを特徴とする請求項３〜６のいずれか一項に記載の水圧マニピュレーター。
【請求項８】
前記あぶみ部材（２５）及び前記電機子（１６）が、一部品に形成されることを特徴とする請求項３〜６のいずれか一項に記載の水圧マニピュレーター。
【請求項９】
前記上部壁（２６）及び前記側壁（２７、２８）が、ネジ込みによって前記ワッシャに固定されることを特徴とする請求項３〜６のいずれか一項に記載の水圧マニピュレーター。
【請求項１０】
前記側壁（２７、２８）が、ネジ（３７、３８）を通すスペーサ（３５、３６）であることを特徴とする請求項９に記載の水圧マニピュレーター。
【発明の詳細な説明】
【技術分野】
【０００１】
本発明は、加圧流体で動作する一つ以上の下流装置を手動操作部材によって制御できるようにするのに用いられる加圧流体分配装置に関するものである。
【０００２】
特に本発明は、公共事業車両の異なる水圧機能の制御を行うための水圧マニピュレーターに関するものである。
【背景技術】
【０００３】
特にＷＯ−９６／３０６５２には、特に、
ｆ＜記載されたタイプの流体分配装置が知られており、その流体分配装置は：
少なくとも一つのキャビティを備え、一端部が少なくとも一つの面に開口している本体と、
本体に取り付けられ、開口している一端部のレベルで可動装着されたプッシュロッド、キャビティに取り付けられたプランジャー、及びプッシュロッドとプランジャーとの間に介在する制御バネを備え、プランジャーが、並進時に減圧機能を実行するため揺動できるように装着され、そしてその平衡ポイントがプッシュロッドの押し込み及び下流装置へ伝わる出力制御圧力によって生じる制御バネの圧縮に依存している少なくとも一つの減圧弁と、
伝達圧力の弁を制御するため、本体の面に対向するように回動可能に取り付けられ、しかも少なくとも一つのフィンガーを備えているプッシュロッドの押し込みを変える制御部材と、
磁界をプランジャーの並進方向と平行な方向に発生できるソレノイドを形成し、プッシュロッドと同軸に本体に取り付けされ、しかも本体の面と同一平面上に当接表面を形成している手段と、
磁界に感応する材料で作られ、プッシュロッドと同時に並進移動でき、ソレノイドを形成する手段の当接表面と対向するように配置された接触表面を備え、接触表面が当接表面に当接して、予定の引力によりプッシュロッドを適所でロックするようにした電機子と
を有する形式の公知の流体分配装置が記載されている。
【０００４】
これらの流体分配装置において、第一の欠点は、ソレノイドを形成する手段から電機子の望ましくない分離（“切離し（tear-out）”とも呼ばれる）の可能性があることである。その理由は、公共事業車両が現場で走行している際に、かかる車両に取り付けられた分配装置が加速及び減速されると、磁界によって電機子に加えられる引力を超える切り離し力が電機子に生じるからである。これは制御部材の慣性によって悪化する。
【０００５】
第二の欠点は、オペレーターが制御部材に対し切り離し時に予定の力で動作を行おうとしないことである。その結果、オペレーターは、電機子がソレノイドから分離される時を正確に知り得ない。
【０００６】
これらの欠点は、電機子が普通はプッシュロッドに、水平軸のまわりにおける回転の自由度がないように堅く固定されていることによるものである。その結果、切り離しの際に電機子が当接表面の一部にかけてソレノイドと接触するだけであり、それにより電機子における磁界の引力は、予定の力よりも小さい未知の値まで減少する。
【発明の開示】
【発明が解決しようとする課題】
【０００７】
本発明の目的は特に、ソレノイドからの電機子の分離が予定のレベルに維持された力によってだけで生じ得る流体分配装置を提供することによって、これらの欠点を解消することにあり、この目的は、簡単で効果的でしかも安価な手段によって達成される。
【課題を解決するための手段】
【０００８】
この目的のために、本発明によれば、前記タイプの流体分配装置は、本質的に、電機子をフィンガーに固定する固定手段を有し、固定手段が窓を画定し、窓中にフィンガーが横方向に突出し、プッシュロッドが、間隙を保って電機子の中に貫入ししかも窓の中に突出するように装着され、さらにフィンガーが固定手段とプッシュロッドとの間に介在していることを特徴としている。
【０００９】
これらの構成によって、電機子は、電機子の自由度の数値を増やすようにして制御部材のフィンガーの下に吊られる。従って、この電機子がソレノイドから分離されると、電機子がソレノイドを形成する手段の全表面と接触したままとなるようにして周囲の構成要素に対して自由に偏倚することができる。その結果、電機子に働く磁気引力は、予定した一定のレベルを保つ。
【００１０】
好ましい実施形態において、固定手段及び電機子は接合して窓を画定する。
【００１１】
好ましくは、固定手段は窓の上部壁（upper jamb）と側壁を画定するあぶみ部材（stirrup）から成っており、窓の下部壁は電機子によって画定される。
【００１２】
好ましくはフィンガーは窓の上部壁と一点で接触する。
【００１３】
変形例では、フィンガーは球状先端部を備え、この球状先端部に窓の上部壁が当接する。
【００１４】
好ましくは、電機子は鉄材から作られたワッシャから成る。
【００１５】
変形例では、あぶみ部材はワッシャ上にモールドされる。
【００１６】
また別の変形例では、あぶみ部材と電機子は一部品に形成される。
【００１７】
更に別の変形例では、上部壁と側壁はネジ込みによってワッシャに結合される。
【００１８】
この場合、側壁は好ましくは、開放チャンネルの形で形成され、そこにネジが入れられる。
【発明を実施するための形態】
【００１９】
本発明のその他の特徴及び利点は、添付図面を参照して例としてかつ発明をほ限定することになしに本発明の四つの実施形態についての以下の説明から明らかとなる。
【００２０】
加圧流体分配装置及び特に水圧マニピュレーターは、図１に示されている。流体は、下流装置（図示していない）へ、そこで行われる使用に適した圧力で送られる。
【００２１】
加圧流体分配装置は、少なくとも一つの減圧弁２を備えている。公共事業車両用に現在使用されている水圧マニピュレーターの場合のように、好ましくは加圧流体分配装置は互いに同一な四つの減圧弁を備えている。それら減圧弁の二つだけが図１に示されている。
【００２２】
各減圧弁２はプランジャー３を備え、このプランジャー３は、分配装置１の本体５に形成したキャビティ４内で動くことができる。
【００２３】
当該技術分野において周知のように、減圧弁２は（特に図１に示す）制御部材６を機能させるオペレーターによって調整される。この制御部材６はジョイント７に取り付けられ、ジョイント７は分配装置１の本体５によって、本体５の面の一つ８で支持されている。このジョイント７は例えば、ユニバーサルタイプのジョイント、ボールジョイント、又はピンジョイントである。
【００２４】
キャビティ４の一端部９は、本体５の面８で開放している。制御部材６はまた、ジョイント７からキャビティ４に取り付けられたプランジャー３に対して垂直に突出するように延びるフィンガー１０を有している。
【００２５】
減圧弁は既知の方法でプッシュロッド１１及び制御バネ１２を備えており、制御部材６の作用により、プッシュロッド１１はキャビティ４の開口端部９において、キャビティ４の範囲内で往復並進運動するようにされている。
【００２６】
従って、減圧弁を調整し、それにより分配装置１によって上流装置（図示せず）へ伝えられる圧力を制御するために、制御部材６はプッシュロッド１１の位置を変えることができる。
【００２７】
このような流体分配装置１の動作は、当業者には周知であり、例えばフランス国特許明細書ＦＲ−２，３７６，９７８、ＦＲ−２，５０７，７３２及びＦＲ−２，７８１，８４６に記載されている。
【００２８】
さらに、当業者には周知のように、加圧流体分配装置は、プッシュロッド３を予定の位置にロックするために、電機子１６と相互作用するソレノイド１５を形成する手段を有している。
【００２９】
ソレノイド１５を形成する手段は、例えばコイル１５を有している。このコイル１５はプッシュロッド１１と同軸に、本体５に取り付けられている。このコイル１５の一端は本体５の面８に開放しており、前記面８と同一平面上に当接表面１７を形成している。この当接表面１７は、面８と平行にしながら面８から少し引っ込めることもできる。従ってコイル１５は、プッシュロッド１１の並進方向と平行な方向の磁界を発生する。
【００３０】
電機子１６は、プッシュロッド１１と同時に並進して移動させることができ、そして鉄材のように磁界に感応する材料で作られている。この電機子１６は、当接表面１７に対向する接触表面１８を備え、接触表面１８は当接表面１７にプッシュロッド１１の予定位置で当接するようになっている。従ってこの予定位置において、プッシュロッド１１は電機子１６とコイル１５との間に予定の引力でロックされる。
【００３１】
本発明の本質的な特徴によれば、流体分配装置１はまた、電機子１６を制御部材６のフィンガー１０に固定する固定手段２０も有している。これらの固定手段２０は、電機子１６をフィンガー１０の下に吊り下げる形態で取り付けるようにして、電機子１６をフィンガー１０と共に動かすことができる。それによりこの電機子１６は五自由度を有して、プッシュロッド１１の軸と、プッシュロッド１１動作中にフィンガー１０によって固定手段１０に加えられる力の方向との間に僅かな不整列が生じても、接触表面１８をコイル１５の当接表面１７と平行に一定して保持するようにしている。
【００３２】
このために、固定手段２０は、本体５の面８から電機子１６の逆側に配置されている。これら固定手段２０（図２）が窓２１を画定しており、この窓２１内にプッシュロッド１１が電機子１６を通って突出している。このプッシュロッド１１は、適度の間隙を持ってこの電機子１６を貫通するように取り付けられている。
【００３３】
フィンガー１０は、窓２１に対して横向きで窓２１に配置され、固定手段２０とプッシュロッド１１との間に介在するようにされている。プッシュロッド１１は、例えば、窓２１の内部で電機子１６に当接するように取り付けられた円形クリップ（circlip）２２によって、並進に関してはフィンガー１０に固定される。
【００３４】
特に図２に示されているように、固定手段２０は、電機子１６の上に配置されたあぶみ部材２５の形態を成し、電機子１６と組み合わさって窓２１を形成している。上部壁２６及び側壁２７及び２８は、あぶみ部材２５によって形成され、窓２１の下部壁２９は電機子１６によって形成されている。
【００３５】
電機子１６及びあぶみ部材２５をフィンガー１０の周囲でスイングできるように、あぶみ部材２５は、窓２１の上部壁２６においてフィンガー１０と点接触する。フィンガー１０は球状先端部３０を有している。特に、この先端部３０は例えば半球状であり、それで、上部壁２６は先端部３０の球状部分における点接触部と仮想的に当接するようにされている。同じように、プッシュロッド１１は先端部３０と上部壁２６との間の接触とは反対側で先端部３０と点接触して当接する。
【００３６】
電機子１６は例えばワッシャの形状に構成される。
【００３７】
また特に図３に示されているように、あぶみ部材２５及びワッシャ１６は一部品で形成されている。
【００３８】
さらに別の変形例では、あぶみ部材２５は、図４及び図５に示すように、ねじ込むことによってワッシャ１６に固定されている。この場合、側壁２７及び２８はスペーサ３５及び３６の形状を成し、スペーサ３５及び３６上に窓２１の上部壁２６に相当する連結部材３９が配置されている。ネジ３７及び３８はスペーサ３５及び３６を貫通し、連結部材３９及びスペーサ３５及び３６を電機子１６に、この電機子１６で画定される平面に対して垂直方向に固定する。
【００３９】
図６及び図７に示す変形例では、図４及び図５に示す変形例の場合のように、あぶみ部材２５は、ワッシャ１６にねじ込むことによって固定される。あぶみ部材２５は、例えば金属材料からステープルの形で一部品として作られている。この場合、電機子１６に平行に、窓２１の内部に向かって折り返された二つの端部４０及び４１を有している。これら二つの端部４０及び４１は、電機子１６にねじ込むことによって固定されている。
【００４０】
図８及び図９に示す更に別の変形例では、あぶみ部材２５は、クリッピングによってワッシャ１６に固定されている。このために、ワッシャ１６は、突出部４５及び４６を有し、それら突出部４５及び４６はワッシャ１６の面からその接触面１８と逆に突き出て、横壁２７及び２８の中に貫入している。この場合、あぶみ部材２５は、例えばプラスチック材料で作られる。
【００４１】
明らかに本発明は上記の実施例に制限されるものではなく、本発明の範囲から逸脱せずに種々の変更が可能である。
【図面の簡単な説明】
【００４１】
【図１】  本発明による電機子を備えた流体分配装置の部分断面図。
【図２】  制御部材のフィンガーに取り付けられた電機子の部分的に断面を示した側面図。
【図３】  本発明による固定手段を備えた電機子の断面図。
【図４】  本発明による電機子固定手段の第二実施例の側面図。
【図５】  本発明による電機子固定手段の第二実施例の上視図。
【図６】  本発明による固定手段の第三実施例の図４に類似した側面図。
【図７】  本発明による固定手段の第三実施例の図４に類似した上視図。
【図８】  本発明による固定手段の第四実施例の図４に類似した側面図。
【図９】  本発明による固定手段の第四実施例の図４に類似した上視図。
【図１】
0004686190.tif 000002
【図２】
0004686190.tif 000003
【図３】
0004686190.tif 000004
【図４】
0004686190.tif 000005
【図５】
0004686190.tif 000006
【図６】
0004686190.tif 000007
【図７】
0004686190.tif 000008
【図８】
0004686190.tif 000009
【図９】
0004686190.tif 000010